(57)【要約】【課題】従来は、冷蔵室と下方の野菜室とを仕切る区画壁と、野菜容器の上面開口を覆う蓋体とが二重に配置される。本発明は、この二重配置構造に代えて、蓋体が仕切りを構成するようにして、構造の簡素化と組立ての簡素化、それに伴うコストダウンが達成できる冷蔵庫を提供するものである。【解決手段】前面に開口した冷蔵庫本体内が仕切りによって上側の冷蔵室と下側の野菜室に仕切られ、前記野菜室内には上面開口の野菜容器が前記冷蔵庫本体の前面へ向けて引き出し自在に収納される冷蔵庫であって、前記冷蔵室と前記野菜室との間の前記冷蔵庫本体の前面開口部には横に渡した中仕切り部材が設けられ、前記中仕切り部材の後側における前記冷蔵室と前記野菜室との仕切りは、前記野菜室内に収納された野菜容器の上面開口を覆う蓋体によって形成したこと。【選択図】      図１
2004232893.tif 000002
【特許請求の範囲】
【請求項１】
前面に開口した冷蔵庫本体内が仕切りによって上側の冷蔵室と下側の野菜室に仕切られ、前記野菜室内には上面開口の野菜容器が前記冷蔵庫本体の前面へ向けて引き出し自在に収納される冷蔵庫であって、前記冷蔵室と前記野菜室との間の前記冷蔵庫本体の前面開口部には横に渡した中仕切り部材が設けられ、前記中仕切り部材の後側における前記冷蔵室と前記野菜室との仕切りは、前記野菜室内に収納された野菜容器の上面開口を覆う蓋体によって形成したことを特徴とする冷蔵庫。
【請求項２】
前記蓋体が前記中仕切り部材の下面と前記冷蔵庫本体から取り外し可能に取り付けられたことを特徴とする請求項１に記載の冷蔵庫。
【請求項３】
前記中仕切り部材の下面と前記蓋体の前部との間に前記冷蔵室の冷気が前記野菜室内に流入する冷気通路を形成したことを特徴とする請求項１または請求項２に記載の冷蔵庫。
【請求項４】
前記蓋体は、前記中仕切り部材の上面と略同一レベル面を形成するように配置されて前記冷蔵室の平面状の底壁を形成したことを特徴とする請求項１乃至請求項３のいずれかに記載の冷蔵庫。
【請求項５】
前記冷蔵室内の下部には、上方の冷蔵室と区画壁にて区画され前記蓋体が底壁を形成する特定低温室が形成され、この特定低温室内には前記蓋体に近接して容器が前後方向へ引き出し可能に支持されたことを特徴とする請求項１に記載の冷蔵庫。
【発明の詳細な説明】
【０００１】
【発明の属する技術分野】
本発明は、前面に開口した冷蔵庫本体内を仕切りによって上側の冷蔵室と下側の野菜室に仕切り、野菜室内には上面開口の野菜容器が冷蔵庫本体の前面へ向けて引き出し自在に収納された冷蔵庫に関する。
【０００２】
【従来の技術】
前面に開口した冷蔵庫本体内を仕切りによって上側の冷蔵室と下側の野菜室に仕切り、野菜室内には上面開口の野菜容器が冷蔵庫本体の前面へ向けて引き出し自在に収納された冷蔵庫がある（例えば、特許文献１）。
【０００３】
特許文献１のものは、その図１に示すように、冷蔵室内下部には低温室が形成され、その下方には冷蔵室と下方の野菜室とを仕切る仕切り壁が設けられ、この仕切り壁の下側に通風ダクトを形成し、この通風ダクトの下方において野菜容器の上面開口は蓋体によって覆われた構成である。この構成において、冷却器で冷却された冷気は、上記低温室を冷却し、その冷気は上記通風ダクトを通って野菜容器の蓋体の上面前方に流れ、野菜容器と蓋体の外周を流れて野菜容器内を間接冷却して冷却器へ帰還する循環を行うものである。
【０００４】
【特許文献１】
特開平１０−２８８４４４号公報（第１〜４頁、図１）
【０００５】
【発明が解決しようとする課題】
特許文献１のものは、上記のように冷蔵室と下方の野菜室とを仕切る区画壁と、野菜容器の上面開口を覆う蓋体とが二重に配置される必要がある。本発明は、冷蔵庫本体の前面開口部に横に渡した中仕切り部材と、その後側を野菜室内に収納された野菜容器の上面開口を覆う蓋によって、前記冷蔵室と野菜室が仕切られた構成を提供する。これによって、特許文献１のように、冷蔵室と下方の野菜室とを仕切る区画壁と、野菜容器の上面開口を覆う蓋体とが二重に配置されるものに比して、構造の簡素化に伴い、組立てが簡素化され、コストダウンが達成できる冷蔵庫が提供できる。
【０００６】
【課題を解決するための手段】
本発明の冷蔵庫は、前面に開口した冷蔵庫本体内が仕切りによって上側の冷蔵室と下側の野菜室に仕切られ、前記野菜室内には上面開口の野菜容器が前記冷蔵庫本体の前面へ向けて引き出し自在に収納された冷蔵庫において、前記冷蔵室と前記野菜室との間の前記冷蔵庫本体の前面開口部には横に渡した中仕切り部材が設けられ、前記中仕切り部材の後側における前記冷蔵室と前記野菜室との仕切りは、前記野菜室内に収納された野菜容器の上面開口を覆う蓋体によって形成したことを特徴とする。
【０００７】
これによって、前記中仕切り部材は断熱効果を維持しつつ前面扉のパッキングの当接面を形成でき、扉と冷蔵庫本体との気密保持が達成されると共に、前記中仕切り部材の後領域における冷蔵室と野菜室との仕切りは、野菜室内に収納された野菜容器の上面開口を覆う蓋体によって形成されるため、野菜容器の上面開口を覆う蓋体の他に、冷蔵室と野菜室との区画壁を形成するものに比して簡素化された構成となる。
【０００８】
また、本発明の冷蔵庫は、上記において、前記蓋体が前記中仕切り部材の下面と冷蔵庫本体に取り外し可能に取り付けられたことを特徴とする。これによって、前記中仕切り部材は断熱効果を維持しつつ前面扉のパッキングの当接面を形成でき、扉と冷蔵庫本体との気密保持が達成されると共に、前記蓋体の組立てや破損時の交換がし易くなる。また、前記中仕切り部材の下面と前記蓋体の前部との間に冷蔵室の冷気が野菜室内に流入する冷気通路を形成したことを特徴とする。これによって、冷気を野菜室内に流入する冷気通路の形成が容易となり、この冷気通路から野菜室内に流入した冷気は、野菜容器を外周から冷却して野菜容器内の野菜の乾燥を抑制した冷却ができるものとなる。
【０００９】
更に、前記蓋体は、前記中仕切り部材の上面と略同一レベル面を形成するように配置されて冷蔵室の平面状の底壁を形成したことを特徴とする。これによって、蓋体は前部が冷気通路の形成に寄与し、後部が冷蔵室の底面を形成するため、蓋体が冷気通路の形成と冷蔵室の底壁形成の兼用となり、冷蔵庫の構造の簡素化が図れる。
【００１０】
更にまた、前記冷蔵室内の下部には、上方の冷蔵室と区画壁にて区画され前記蓋体が底壁を形成する特定低温室が形成され、この特定低温室内には前記蓋体に近接して容器が前後方向へ引き出し可能に支持されたことを特徴とする。このため、蓋体によって冷蔵室の底壁が形成されても、容器の荷重が蓋体に掛からないため、蓋体の強度を大きく設計する必要がなく、野菜容器の上面開口を覆う蓋体によって冷蔵室と野菜室との区画壁を形成することが容易となる。
【００１１】
【発明の実施の形態】
次に、本発明冷蔵庫の実施の形態について説明する。図１は本発明冷蔵庫の縦断側面図、図２は他の実施形態に係る本発明冷蔵庫の縦断側面図である。
【００１２】
本発明の冷蔵庫を図に基づき説明する。１は本発明の冷蔵庫であり、全面開口の本体２内を区画して複数の貯蔵室を形成し、これら各貯蔵室の前面は扉で開閉できる構成である。冷蔵庫本体２は、外箱（外壁板）２Ａと内箱（内壁板）２Ｂとの間に発泡断熱材２Ｃを充填した断熱構造である。冷蔵庫本体２内には、上から冷蔵室３、野菜室４、上冷凍室５、下冷凍室６が区画されて設けられ、冷蔵室３内の底部にはその上方の冷蔵室３と区画板（区画壁）８にて区画された特定低温室９が設けられている。
【００１３】
冷蔵室３の前面開口は、冷蔵庫本体２の一側部にヒンジ装置にて横方向に回動して開閉される回動式の冷蔵室扉１０にて閉塞される。野菜室４の前面開口は、野菜室４内に設けた左右のレールとローラとの組み合わせによる引き出し装置２１によって前後方向へ引き出し可能に支持した野菜容器１５と共に前方へ引き出される引き出し式扉１１にて閉塞されている。上冷凍室５と下冷凍室６はそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。特定低温室９内にも上面開口の容器７０が特定低温室９の左右壁に設けたレール装置７１によって前後方向へ引き出し可能に支持されている。
【００１４】
２４は冷凍システムの冷媒の圧縮機、２５は冷凍システムの冷媒の凝縮器である。２６は凝縮器２５の熱によって後述の冷却器２９、３０の除霜水を蒸発させるための蒸発皿であり、凝縮器２５上に載置して冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５及び下冷凍室６へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。
【００１５】
３５は第２蒸発器（冷却器）３０で冷却された冷気が第２送風機３２から導かれる冷気ダクトであり、冷蔵室３の上壁に幅広く配置されその前端は冷蔵室３の前面開口部の上面に形成した冷気吹き出し口３６へ連通している。この冷気吹き出し口３６から吹き出す冷気は、冷蔵室３の前面開口部を矢印のように上から下へ流れる冷気カーテン３７を形成する。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００１６】
このような構成において、各室の温度は、冷蔵室３が約３〜４℃、野菜室４が約４〜６℃に保たれ、上冷凍室５と下冷凍室６が約−１８℃〜−２０℃である。また、冷蔵室扉１０の内側に設けた貯蔵棚３８上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室９は、食品を特定の温度領域内で冷却保存するためのものであり、他の室に比して厳しい温度制御が要求される。
【００１７】
第２蒸発器（冷却器）３０で冷却した冷気を第２送風機３２によって冷蔵室３と野菜室４とに循環させる冷気循環経路の形成に関し、冷蔵室３の背面部にはダクト構成を設けている。これにおいて、第２蒸発器（冷却器）３０で冷却した冷気は、第２送風機３２によって冷蔵室３と野菜室４とに循環される。その経路は、第２送風機３２を通過した冷気は、一部が冷気ダクト３５を通って冷気吹き出し口３６から吹き出す。また第２送風機３２を通過した冷気の他の部分は、冷蔵室３の背面左右の冷気通路４３Ａ、４３Ｂを通って、冷蔵室３の背面板４０に形成した冷気吹き出し口３９から冷蔵室３へ吹き出し、冷気通路４３Ａ、４３Ｂを更に下方へ流れつつ一部分の冷気が冷気吹き出し口３９Ａから特定低温室９へ吹き出す。
【００１８】
本発明の冷蔵庫１は、前面に開口した冷蔵庫本体２内が仕切りによって上側の冷蔵室３と下側の野菜室４に仕切られている。この仕切り構成は、冷蔵室３と野菜室４との間の冷蔵庫本体２の間口、即ち、冷蔵庫本体２の前面開口部に横に水平状態に渡した中仕切り部材５２が設けられ、この中仕切り部材５２の後側における冷蔵室３と野菜室４との仕切りは、野菜室４内に収納された野菜容器１５の上面開口を覆う蓋体５０によって形成した構成である。
【００１９】
中仕切り部材５２は、断熱材が内蔵された断熱構造であり、その前面は冷蔵室３の扉１０の裏側周縁部に取り付けたパッキング６０と野菜室４の扉１１の裏側周縁部に取り付けたパッキング６１とが当接する面を形成し、中仕切り部材５２の前面板の裏側には、露つき防止部（電気ヒータ、又は前記冷凍システムの高温側パイプ）が取り付けられている。また中仕切り部材５２は、下面が平坦であり上面は扉１０裏側の最下段の貯蔵棚３８よりも後方に位置する後方部５４が、一段低い位置に形成されて冷蔵室３の底壁の一部を形成する。
【００２０】
蓋体５０は、野菜容器１５の上面開口を覆う平面積を有し、蓋体５０の前部５０Ａはスペーサ６２によって中仕切り部材５２の下面と間隔５１を保つ状態でもって取り付け具５３によって、中仕切り部材５２の下側に着脱自在に取り付けられている。また、蓋体５０の後端部は、冷蔵庫本体２の内壁面に取り付け具５８によって着脱自在に取り付けられている。そして、蓋体５０の後部５０Ｂは、中仕切り部材５２の後方部５４の上面と略同一レベル面をなすような平面状部に形成しており、中仕切り部材５２の後部５４と共に冷蔵室３の平面状底壁を形成している。上記間隔５１は、この冷蔵室３の底壁の一部に形成した吸い込み口５９から吸い込まれる冷蔵室３の冷気が通る冷気通路を形成する。取り付け具５３と５８は、ネジ式でもよいが着脱の容易さを考慮すれば、中仕切り部材５２に取り付けた弾性受け部に対して着脱自在に圧入されるプラスチック製のピン部材によって蓋体５０を取り付ける機構が望ましい。
【００２１】
上記の構成によって、冷蔵室３と野菜室４との仕切りは、冷蔵室扉１０と野菜室扉１１を基準とすれば、中仕切り部材５２と蓋体５０とによって形成されているが、冷蔵室３と野菜室４とは実質的には、着脱自在な蓋体５０によって仕切られた構成であるともいえる。吸い込み口５９は、中仕切り部材５２の後部５４に形成してもよく、また蓋体５０に形成してもよく、また中仕切り部材５２の後部５４と蓋体５０との間に形成してもよい。冷気通路５１の前端は、野菜室４に開放しており、冷蔵室３の冷気は吸い込み口５９から吸い込まれて冷気通路５１を通り、野菜室４に入って野菜容器１５の周囲を流れて野菜容器１５内を間接冷却する。野菜室４の冷気は、野菜室４の背壁に形成した吸い込み口５６から冷気通路４３Ａ、４３Ｂ間に形成した帰還ダクト５７へ吸い込まれて冷却器３０の室へ帰還する循環をする。
【００２２】
図２には他の実施形態を示している。図１と同符合の部分は同機能部分を示すものであり、その説明は上記と同様であるため上記を援用する。図２のものも、冷蔵庫１は、前面に開口した冷蔵庫本体２内が仕切りによって上側の冷蔵室３と下側の野菜室４に仕切られている。この仕切り構成は、冷蔵室３と野菜室４との間の冷蔵庫本体２の前面開口部に横に水平状態に渡した中仕切り部材５２が設けられ、この中仕切り部材５２の後側における冷蔵室３と野菜室４との仕切りは、野菜室４内に収納された野菜容器１５の上面開口を覆う蓋体５０によって形成した構成である。
【００２３】
図２のものが図１のものと主たる異なるところは、冷蔵室３と野菜室４との仕切りとして、中仕切り部材５２は、その上面が前部から後部まで同一レベルの平面状に形成し、下面は前部よりも後部が上方に上がった形状をなし、そのために冷気通路５１は広くなっている。このため、冷蔵室３の底面は後部から前部まで平面状であり、特定低温室９内の容器７０は、水平に引き出した状態で冷蔵庫１からの取り外しが容易である。その他、図１と同符合の部分は同機能部を示しており、その説明は図１に基づく上記の説明と同じである。
【００２４】
本発明は、上記の構成によって、中仕切り部材５２は断熱効果を維持しつつ扉１０、１１のパッキング６０、６１の当接面を形成でき、扉１０、１１と冷蔵庫本体２との気密保持が達成される。そして、中仕切り部材５２の後領域における冷蔵室３と野菜室４との仕切りは、野菜室４内に収納された野菜容器１５の上面開口を覆う蓋体５０によって形成されるため、野菜容器１５の上面開口を覆う蓋体５０の他に、冷蔵室３と野菜室４との区画壁を形成する従来構成のものに比して簡素化された構成となる。
【００２５】
また、本発明の冷蔵庫は、蓋体５０が中仕切り部材５２の下面と冷蔵庫本体２に取り外し可能に取り付けられており、中仕切り部材５２は断熱効果を維持しつつ前面扉１０、１１のパッキング６０、６１の当接面を形成でき、扉１０、１１と冷蔵庫本体２との気密保持が達成されると共に、蓋体５０の組立てや破損時の交換がし易くなる。また、中仕切り部材５２の下面と蓋体５０の前部との間に冷蔵室３の冷気が野菜室４内に流入する冷気通路５１を形成しており、冷気を野菜室４内に流入する冷気通路５１の形成が容易となり、この冷気通路５１から野菜室４内に流入した冷気は、野菜容器１５を外周から冷却して野菜容器１５内の野菜の乾燥を抑制した冷却ができるものとなる。
【００２６】
更に、蓋体５０は、中仕切り部材５２の上面と略同一レベル面を形成するように配置されて冷蔵室３の平坦な底壁を形成したことによって、蓋体５０は前部が冷気通路５１の形成に寄与し、後部が冷蔵室３の底壁を形成するため、蓋体５０が冷気通路５１の形成と冷蔵室３の底壁形成の兼用となり、冷蔵庫の構造の簡素化が図れる。
【００２７】
また、冷蔵室３の下部には、蓋体５０の直ぐ上に特定低温室９が形成され、特定低温室９内には上面開口の容器７０が特定低温室９の左右壁に設けたレール装置７１によって前後方向へ引き出し可能に支持されている。具体的には、特定低温室９の底壁が蓋体５０の略平坦な後部５０Ｂによって形成され、容器７０の底面がこの蓋体５０の後部５０Ｂに近接した状態でもって前後方向に引き出し自在である。このため、蓋体５０によって冷蔵室３の底壁が形成されても、容器７０の荷重が蓋体５０に掛からないため、蓋体５０の強度を大きく設計する必要がなく、野菜容器１５の上面開口を覆う蓋体５０によって冷蔵室３と野菜室４との区画壁を形成することが容易となる。
【００２８】
本発明は、上記実施形態に限定されず、冷蔵庫の種々の形態に適用でき、本発明の技術的範囲を逸脱しない限り種々の変更が考えられ、それに係る種々の実施形態を包含するものである。
【００２９】
【発明の効果】
本発明によれば、中仕切り部材は断熱効果を維持しつつ前面扉のパッキングの当接面を形成して前面扉と冷蔵庫本体との気密保持を行い、中仕切り部材の後領域における冷蔵室と野菜室との仕切りは、野菜容器の上面開口を覆う蓋体が兼用するため、野菜容器の上面開口を覆う蓋体とは別に冷蔵室と野菜室との区画壁を設けるものに比して、部品数が少なくなり簡素化された構成となる。
【００３０】
また、請求項２の発明では、上記の効果に加えて蓋体の組立てや破損時の交換がし易くなる。
【００３１】
また、請求項３の発明では、上記の効果に加えて、蓋体は前部が冷気通路の形成に寄与し後部が冷蔵室の底面を形成して、蓋体が冷気通路の形成と冷蔵室の底壁形成の兼用となり、冷蔵庫の構造の簡素化が図れる。
【００３２】
また請求項４の発明では、上記の効果に加えて、蓋体は前部が冷気通路の形成に寄与し、後部が冷蔵室の底面を形成するため、蓋体が冷気通路の形成と冷蔵室の底壁形成の兼用となり、冷蔵庫の構造の簡素化が図れる。
【００３３】
また、請求項５の発明では、蓋体によって冷蔵室の底壁が形成されても、特定低温室内の容器の荷重が蓋体に掛からないため、蓋体の強度を大きく設計する必要がなく、野菜容器の上面開口を覆う蓋体によって冷蔵室と野菜室との区画壁を形成することが容易となる。
【図面の簡単な説明】
【図１】本発明冷蔵庫の縦断側面図である。
【図２】他の実施形態に係る本発明冷蔵庫の縦断側面図である。
【符号の説明】
１……冷蔵庫
２……冷蔵庫本体
３……冷蔵室
４……野菜室
９……特定低温室
１０…冷蔵室扉
１１…野菜室扉
１５…野菜容器
２１…引き出し装置
５０…野菜容器の蓋体
５０Ａ…蓋体の前部
５０Ｂ…蓋体の後部
５１…冷気通路
５２…中仕切り部材
５３、５８…取り付け具
５４…中仕切り部材５２の後部
５９…冷気吸い込み口
７０…容器
７１…レール装置
【図１】
2004232893.tif 000003
【図２】
2004232893.tif 000004